(57)【特許請求の範囲】
【請求項１】
シートを収納するシート収納部と、
前記シート収納部に移動自在に設けられ、前記シート収納部に収納されるシートの端部の位置を規制する規制部と、
前記規制部に対してシートの積載方向及び前記積載方向と交差するシートの面に沿った方向に移動自在に設けられ、前記シート収納部に収納されたシートの端部の位置に前記規制部を位置決めするための係合部材と、
前記シート収納部に設けられ、前記係合部材を係止することで前記規制部を位置決めする係止部と、を備え、
前記係合部材は、前記シート収納部に収納されるシートの端部の位置を指示する指示部を備え、前記指示部は、前記係合部材とともに移動して、前記係合部材を前記係止部に係止した位置において前記規制部の外部に突出し、前記係合部材を前記係止部に係止しない位置において前記規制部の内部に格納されることを特徴とするシート収納装置。
【請求項２】
前記シート収納部には、前記指示部が指し示すための定型サイズ表示部が設けられており、前記規制部の外部に突出した前記指示部が、前記規制部が規制しているシートのサイズに対応する前記定型サイズ表示部を指し示すことを特徴とする請求項１に記載のシート収納装置。
【請求項３】
前記規制部は、前記係合部材を前記積載方向に案内しつつ前記シートの面に沿った方向に案内する案内面を有し、前記係合部材は、前記案内面に沿って前記積載方向及び前記シートの面に沿った方向に移動し、前記指示部は、前記係合部材の移動に伴って前記規制部の外部に突出し、又は前記規制部の内部に格納されることを特徴とする請求項１又は２に記載のシート収納装置。
【請求項４】
前記規制部が有する前記案内面はテーパ面であり、前記係合部材は前記規制部のテーパ面に沿うテーパ面を有し、前記係合部材のテーパ面は前記規制部のテーパ面に沿って前記積載方向及び前記シートの面に沿った方向に移動することを特徴とする請求項３に記載のシート収納装置。
【請求項５】
前記係合部材と連結された回動可能なレバーを有し、前記レバーの回動により前記係合部材を上下に移動させることにより、係合部材が前記規制部のテーパ面に沿って移動することを特徴とする請求項４に記載のシート収納装置。
【請求項６】
前記規制部にフリーサイズ係合部材を有し、前記シート収納部にはフリーサイズ係止部が設けられており、フリーサイズ係合部材がフリーサイズ係止部と係合することで、規制部がフリーサイズ位置に固定されることを特徴とする請求項１から請求項５のいずれか１項に記載のシート収納装置。
【請求項７】
前記規制部は、シートの給送方向と直交する幅方向に移動自在に設けられ、シートの幅方向の側端の位置を規制する側端規制部であることを特徴とする請求項１から請求項６のいずれか１項に記載のシート収納装置。
【請求項８】
前記規制部は、シートの給送方向に移動自在に設けられ、シートの給送方向の後端の位置を規制する後端規制部であることを特徴とする請求項１から請求項７のいずれか１項に記載のシート収納装置。
【請求項９】
画像形成装置に着脱自在に設けられたカセットと、前記カセットに収納されたシートを給送する給送部材と、前記給送部材により給送されたシートに画像を形成する画像形成部と、を有する画像形成装置であって、
前記カセットとして、請求項１から請求項８のいずれか１項に記載のシート収納装置を備えることを特徴とする画像形成装置。
【請求項１０】
画像形成装置に開閉自在に設けられたトレイと、前記トレイに積載されたシートを給送する給送部材と、前記給送部材により給送されたシートに画像を形成する画像形成部と、を有する画像形成装置であって、
前記トレイとして、請求項１から請求項８のいずれか１項に記載のシート収納装置を備えることを特徴とする画像形成装置。
【発明の詳細な説明】
【技術分野】
【０００１】
本発明は、収納されたシートの位置を規制する規制部を有するシート収納装置、これを備えた画像形成装置に関する。
【背景技術】
【０００２】
今日、プリンタや複写機等の画像形成装置においては、画像形成部にシートを給送して画像を形成するようにしたものが広く普及している。そして、このような画像形成装置としては、画像形成装置本体に給送カセットを着脱自在に装着し、給送カセットに収納されたシートをシート給送部材により、画像形成部に自動給送する構成が一般的である。
【０００３】
このような画像形成装置に用いられる給送カセットとしては、同一のカセットで各種サイズ（Ｂ５、Ａ４、Ａ５、ＥＸＥＣ、ＬＴＲ、ＬＧＬ等）のシートを収納することのできるユニバーサルカセットがある。ここで、このユニバーサルカセットのシート収納部には、異なるサイズのシートを収納することができるようシート収納部に収納されたシートのシート給送方向後端の位置を規制する後端規制部が設けられている。また、シートの給送方向と直交する方向（以下、幅方向という）の位置を規制する側端規制部が設けられている。
【０００４】
そして、このようなユニバーサルカセットにおいては、側端規制部によってシートの側端を規制する一方、後端規制部によって後端を規制して、シートの側端位置及び先端位置を常に所定の位置に設定するようにしている。これにより、シートのサイズに拘らず、安定したシートの給送を行うことができる。
【０００５】
ところで、ユニバーサルカセットはユーザーに任意のシートサイズを設置できるように、側端規制部及び後端規制部が可動できる構成になっている。そして、ユニバーサルカセットのシート収納部に任意のシートサイズを表示したサイズ表示部、規制部にサイズ指示部が設けられている（特許文献１参照）。ユーザーは、シート収納部のサイズ表示部に規制部のサイズ指示部を合わせるように規制部を移動させることで、Ｂ５、Ａ４、Ａ５、ＥＸＥＣ、ＬＴＲ、ＬＧＬ等の任意のシートサイズ位置（以下、定型シートサイズ位置という）に規制部を配置できる。また、Ｂ５、Ａ４、Ａ５、ＥＸＥＣ、ＬＴＲ、ＬＧＬ等の任意のシートサイズ以外の位置（以下、フリーサイズ位置という）でも規制部を固定できる構成になっている。
【先行技術文献】
【特許文献】
【０００６】
【特許文献１】特開２０１３−１３３１７３号公報
【発明の概要】
【発明が解決しようとする課題】
【０００７】
しかしながら、規制部のサイズ指示部が規制部のカバー（表面）に設けられているために、ユーザーは常に規制部の表面にあるサイズ指示部がシート収納部のサイズ表示部に一致するのを確認しながら規制部を移動しなければならない。特に、フリーサイズ位置で、かつシート収納部のサイズ表示部近傍において、規制部を移動すると、サイズ表示部とサイズ指示部とを一致させ難い。そのため、ユーザーはサイズ表示部とサイズ指示部が一致しない位置に規制部をセットさせてしまうおそれがある。
【０００８】
そこで、本発明の目的は、ユーザーがシート収納部のサイズ表示部と規制部のサイズ指示部を容易に一致させられるシート収納装置を提供することである。
【課題を解決するための手段】
【０００９】
上記目的を達成するため、本発明は、シートを収納するシート収納部と、前記シート収納部に移動自在に設けられ、前記シート収納部に収納されるシートの端部の位置を規制する規制部と、前記規制部に対してシートの積載方向及び前記積載方向と交差するシートの面に沿った方向に移動自在に設けられ、前記シート収納部に収納されたシートの端部の位置に前記規制部を位置決めするための係合部材と、前記シート収納部に設けられ、前記係合部材を係止することで前記規制部を位置決めする係止部と、を備え、前記係合部材は、前記シート収納部に収納されるシートの端部の位置を指示する指示部を備え、前記指示部は、前記係合部材とともに移動して、前記係合部材を前記係止部に係止した位置において前記規制部の外部に突出し、前記係合部材を前記係止部に係止しない位置において前記規制部の内部に格納されることを特徴とする。
【発明の効果】
【００１０】
本発明によれば、規制部を、シートを規制する位置に移動して係合部材を係止部に係止することで指示部が規制部の外部に突出し、係合部材を係止部に係止しない位置においては指示部が規制部の内部に格納されている。これにより、規制部がシートを規制する位置にセットされているかをユーザーが容易に確認できる。また、係合部材を係止部に係止することで規制部は位置決めされるので、ユーザーは確実にシートを規制する位置に規制部を配置することができる。
【図面の簡単な説明】
【００１１】
【図１】実施例１，２に係る画像形成装置の概略構成を示す断面図。
【図２】（ａ）、（ｂ）は実施例１，２に係る画像形成装置の概略構成を示す斜視図。
【図３】（ａ）、（ｂ）は実施例１に係る後端規制部を示す斜視図。
【図４】（ａ）、（ｂ）は実施例１に係る後端規制部とカセット本体を示す斜視図。
【図５】（ａ）、（ｂ）は実施例２に係るカセット本体を示す斜視図。
【図６】（ａ）、（ｂ）は実施例２に係る側端規制部とカセット本体を示す斜視図。
【図７】実施例３に係る画像形成装置の概略構成を示す断面図。
【図８】実施例３に係る画像形成装置の概略構成を示す斜視図。
【図９】（ａ）、（ｂ）は実施例３に係る側端規制部と手差しトレイを示す斜視図。
【発明を実施するための形態】
【００１２】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１３】
〔実施例１〕
図１は、本発明の実施例１に係るシート収納装置を備えた画像形成装置１の概略構成を示す模式断面図である。図２は、画像形成装置の斜視図とシート収納装置としての給送カセットの要部拡大図である。
【００１４】
図１に示す画像形成装置１おいて、プロセスカートリッジ２は着脱自在に装着される構成である。ここでは、画像形成装置としてカラーレーザープリンターを例示しており、一般的なカラーレーザープリンターに配置されるプロセスカートリッジ２は、ブラック、イエロー、マゼンタ、シアンの４色である。
【００１５】
シートに画像を形成する画像形成部を構成するプロセスカートリッジ２の内部には、感光体ドラム２ａやこれに作用するプロセス手段としての現像器２ｂ等が備えられている。そして、情報に基づいて露光装置３から照射される画像レーザーによって感光体ドラム上に潜像が形成され、その潜像が現像器２ｂにより感光体ドラム２ａ上にトナー像として現像される。感光体ドラム上に現像されたトナー像は、一次転写部４で中間転写体５へ転写され、各色を連続的に転写していくことで、中間転写体５の表面にトナー画像が形成される。
【００１６】
一方、画像形成装置の下部には、シートＳを収納可能な給送カセット２０が配置されている。このシート収納装置としての給送カセット２０については後で説明する。給送カセット２０に収納されたシートＳの先端部付近に配置された給送部材としての給送ローラー６が回転することによってシートＳは一枚ずつ分離給送される。その後、シートＳは搬送ローラー対７によって下流に搬送される。続いて、二次転写部８において、中間転写体５の表面のトナー画像がシートＳ上に転写される。未定着のトナー画像が転写されたシートＳは、更に下流に搬送され、定着装置９によって加圧・加熱され、トナーが溶融することでトナー画像がシートＳに定着される。その後、シートＳは排出トレイ１０に排出される。以上一連の動作により、シートＳに対する画像形成が行われる。
【００１７】
ところで、図２に示すように本実施例において、給送カセット２０は画像形成装置１に着脱自在に取り付けられた構成である。このシート収納装置としての給送カセット２０は、シート収納部としてのカセット本体２１、中板２２、シートＳの幅方向位置を規制する側端規制部２３、シートＳの後端位置を規制する後端規制部２４等を備えている。なお、中板２２はカセット本体２１に設けられた回動支点部Ｃを中心に回動可能になっている。そして、シートＳを給送する際には、不図示の昇降部材により中板２２を回動し、最上位のシートの高さを給送可能な位置に維持することで、安定的にシートＳを給送することができるようになっている。
【００１８】
また、後端規制部２４はカセット本体２１内をシートＳの給送方向に沿って移動自在であり、シートサイズに応じてシートＳの後端部を規制する位置に移動自在となっている。また、側端規制部２３はシートＳの給送方向と直交する幅方向に対向して設けられると共にシート幅方向に移動自在であり、シートサイズに応じてシートＳの幅方向の側端を規制する位置に移動自在となっている。そして、後端規制部２４をＡ５、Ａ４、Ｂ５、ＥＸＥＣ、ＬＴＲ、ＬＧＬ等の定型シートサイズ位置に定めるために、カセット本体２１に定型サイズ係止部２１ａと、定型シートサイズ位置を表示する定型サイズ表示部２１ｂを備えている。定型サイズ係止部２１ａは、カセット本体２１の底部に形成された凹部又は貫通穴である。なお、後端規制部２４はＡ５、Ａ４、Ｂ５、ＥＸＥＣ、ＬＴＲ、ＬＧＬ以外のフリーサイズ位置に定めるために、カセット本体２１にフリーサイズ係止部２１ｃを備えている。フリーサイズ係止部２１ｃは、カセット本体２１の底部に形成され、断面三角形の歯をシート給送方向に沿って多数配置した構成である。定型サイズ係止部２１ａは、カセット本体２１に設けられ、後述する後端規制部２４の係合部材２７が挿入されて係止することで後端規制部２４を位置決めする。
【００１９】
後端規制部２４は、図３（ａ）、（ｂ）に示すように、シートの給送方向の後端を規制する規制板２５と、所定のシート後端位置でカセット本体２１の定型サイズ係止部２１ａと係合する係合部材２７と、係合部材２７を昇降操作するレバー２６を備えている。係合部材２７は、規制板２５に対してシートの積載方向及び前記積載方向と交差するシートの面に沿った方向（シートの面に平行な方向）で、且つ、シート給送方向と直交する方向に移動自在に設けられている。そして、定型サイズ係止部２１ａに係合部材２７が挿入されて係止されることにより、カセット本体２１に収納されたシートの端部の位置に規制板２５を位置決めすることができる。
【００２０】
係合部材２７は、カセット本体２１に収納されるシートの所定のシート後端位置を指示するためのサイズ指示部２７ａを備えている。このサイズ指示部２７ａは、係合部材２７と一体に設けられ、レバー２６を操作することによって移動する係合部材２７とともに移動する。サイズ指示部２７ａは、係合部材２７をシートサイズに応じた係止部２１ａに係止した位置において規制部２４から外部に突出し、係合部材２７を係止部２１ａに係止しない位置において規制部２４の内部に格納される。カセット本体２１の底部の表面には、定型サイズ表示部２１ｂが刻印又はシール等で貼り付けられており、規制部２４から突出したサイズ指示部２７ａが指し示した定型サイズ表示部２１ｂのサイズ表示が、規制部２４が規制しているシートの定型サイズに対応する。
【００２１】
レバー２６は回動可能に設けられており、レバー２６を回動操作することにより、係合部材２７を上下に移動させるように係合部材２７と連結されている。後端規制部２４の規制板２５は、係合部材２７を前記積載方向に案内しつつ前記シートの面に沿った方向に案内する案内面としてのテーパ（テーパ面）２５ｔを有している。係合部材２７は、規制板２５のテーパ２５ｔに沿うテーパ（テーパ面）２７ｔを有している。レバー２６の回動操作により係合部材２７を上下に移動させると、係合部材２７のテーパ２７ｔは、規制板２５のテーパ２５ｔに沿って移動する。これにより、レバー２６を操作して係合部材２７を下降させることによって、係合部材２７がテーパ２５ｔ，２７ｔに沿って前記積載方向に移動しつつ前記シートの面に沿った方向に移動する。そして、この係合部材２７の移動に伴って、サイズ指示部２７ａは、規制部２４の外部に突出し、又は規制部２４の内部に格納される。
【００２２】
このように、図４（ａ）に示すように、後端規制部２４の係合部材２７がカセット本体２１の定型サイズ係止部２１ａに係止しない場合には、係合部材２７はカセット本体２１で持上げられ上方向に移動し、後端規制部２４は移動自在になる。また、係合部材２７がテーパ２７ｔに沿って上方向に移動するため、サイズ指示部２７ａは規制板２５の内部に格納される。これにより、後端規制部２４は、所定の定型サイズ位置（シート後端位置）ではないことを示すことができる。また、後端規制部２４はシートの積載方向に移動自在なフリーサイズ係合部材２８を有している。フリーサイズ係合部材２８は、レバー２６の回動操作により、上下に移動するようにレバー２６と連結されている。そして、フリーサイズ係合部材２８が下降してその下面に設けられている歯がカセット本体２１に設けたフリーサイズ係止部２１ｃと係合することで、後端規制部２４がフリーサイズ位置に固定される。
【００２３】
一方、図４（ｂ）に示すように、後端規制部２４の係合部材２７がカセット本体２１の定型サイズ係止部２１ａに係止する際には、係合部材２７が下方向に移動し、後端規制部２４を所定の定型サイズ位置に位置決めする。また、係合部材２７がテーパ２７ｔに沿って下方向に移動するため、サイズ指示部２７ａは規制板２５の外部に突出する。これにより、後端規制部２４は、定型サイズ表示部２１ｂと一致し、所定の定型サイズ位置であることを指し示すことができる。
【００２４】
上述したように、本実施例によれば、後端規制部２４を、シートを規制する位置に移動して係合部材２７を定型サイズ係止部２１ａに係止することで定型サイズ指示部２７ａが後端規制部２４の外部に突出し定型サイズ表示部２１ｂと一致する。また、係合部材２７を定型サイズ係止部２１ａに係止しない位置においては定型サイズ指示部２７ａが後端規制部２４の内部に格納される。これにより、後端規制部２４が定型シートサイズ位置にセットされているかをユーザーが容易に確認できる。また、定型シートサイズ位置において、係合部材２７を定型サイズ係止部２１ａに係止することで後端規制部２４は位置決めされるので、ユーザーは確実にシートを規制する位置に後端規制部２４を配置することができる。
【００２５】
〔実施例２〕
本発明の実施例２は、実施例１に記載した後端規制部２４と同様の構成を図２に示す給送カセット２０の側端規制部２３に設けたものである。実施例１に記載した部材と同等の機能を有する部材には同一符号を付して詳細な説明は省略する。以下、図５及び図６を用いて実施例２の詳細に関して説明する。図５（ａ）及び図５（ｂ）は、実施例２に係るカセット本体を示す斜視図である。図６は、実施例２に係る側端規制部とカセット本体を示す斜視図であり、図６（ａ）はフリーサイズ位置に位置した時の斜視図、図６（ｂ）は定型サイズ位置に位置した時の斜視図である。
【００２６】
図５（ａ）及び図５（ｂ）に示すように、側端規制部２３は、給送カセット２０に対してシートの給送方向と直交する幅方向に対向して設けられると共にシートの幅方向に移動自在に設けられている。側端規制部２３は、シートサイズに応じてシートの側端を規制する位置に移動され、その側端の位置を規制する。なお、実施例２においては、所定のシートサイズ位置を表示する定型サイズ表示部２２ｂを、カセット本体２１に対して回動可能に設けられている中板２２に設けている。
【００２７】
図６（ａ）に示すように、側端規制部２３の係合部材２７がカセット本体２１の定型サイズ係止部２１ａに係止しない場合には、係合部材２７はカセット本体２１で持上げられ上方向に移動し、側端規制部２３は移動自在になる。また、係合部材２７がテーパ２７ｔに沿って上方向に移動するため、サイズ指示部２７ａは規制板２５の内部に格納される。これにより、側端規制部２３は、所定の定型サイズ位置（シート側端位置）ではないことを示すことができる。なお、実施例１と同様に、側端規制部２３はシートの積載方向に移動自在なフリーサイズ係合部材（不図示）を有している。この側端規制部２３に設けられたフリーサイズ係合部材がカセット本体に形成されたフリーサイズ係止部（不図示）と係合することで、側端規制部２３がフリーサイズ位置に固定される。
【００２８】
一方、図６（ｂ）に示すように、側端規制部２３の係合部材２７がカセット本体２１の定型サイズ係止部２１ａに係止する際には、係合部材２７が下方向に移動し、側端規制部２３を所定の定型サイズ位置（シート側端位置）に位置決めする。また、係合部材２７がテーパ２７ｔに沿って下方向に移動するため、サイズ指示部２７ａは規制板２５の外部に突出する。これにより、側端規制部２３は、定型サイズ表示部２２ｂと一致し、所定の定型サイズ位置（シート側端位置）であることを指し示すことができる。
【００２９】
上述したように、本実施例によれば、側端規制部２３を、シートを規制する位置に移動して係合部材２７を定型サイズ係止部２１ａに係止することで定型サイズ指示部２７ａが側端規制部２３の外部に突出し定型サイズ表示部２１ｂと一致する。また、係合部材２７を定型サイズ係止部２１ａに係止しない位置においては定型サイズ指示部２７ａが側端規制部２３に格納される。これにより、側端規制部２３が定型シートサイズ位置にセットされているかをユーザーが容易に確認できる。また、定型シートサイズ位置において、係合部材２７を定型サイズ係止部２１ａに係止することで側端規制部２３は位置決めされるので、ユーザーは確実にシートを規制する位置に規制部を配置することができる。
【００３０】
〔実施例３〕
本発明の実施例３は、シート収納装置としての手差しトレイを備えた画像形成装置を例示して説明する。実施例１に記載した部材と同等の機能を有する部材には同一符号を付して詳細な説明は省略する。以下、図７〜図９を用いて実施例３の詳細に関して説明する。図７は、本発明の実施例３に係る手差しトレイを備えた画像形成装置１の概略構成を示す模式断面図である。図８は、実施例３に係る画像形成装置の概略構成を示す斜視図である。図９は、実施例３に係る側端規制部と手差しトレイを示す斜視図であり、図９（ａ）はフリーサイズ位置に位置した時の斜視図、図９（ｂ）は定型サイズ位置に位置した時の斜視図である。
【００３１】
図７に示すように、画像形成装置１の側部には、シートＳを積載可能な手差しトレイ６０が開閉自在に取り付けられている。このシート収納装置としての手差しトレイ６０については後で説明する。手差しトレイ６０に積載されたシートＳの先端部付近に配置された給送ローラー６が回転することによってシートＳは一枚ずつ分離給送される。その後、シートＳは搬送ローラー対７によって下流に搬送される。続いて、二次転写部８において、中間転写体５の表面のトナー画像がシートＳ上に転写される。未定着のトナー画像が転写されたシートＳは、更に下流に搬送され、定着装置９によって加圧・加熱され、トナーが溶融することでトナー画像がシートＳに定着される。その後、シートＳは排出トレイ１０に排出される。以上一連の動作により、シートＳに対する画像形成が行われる。
【００３２】
ところで、図８に示すように本実施例において、手差しトレイ６０は画像形成装置１に開閉自在に取り付けられた構成である。このシート収納装置としての手差しトレイ３０は、シート収納部としてのトレイ本体３１、昇降板３２、シートＳの幅方向位置を規制する側端規制部３３を備えている。なお、昇降板３２はトレイ本体３１に設けられた回動支点部Ｃを中心に回動可能になっている。そして、シートＳを給送する際には、不図示のカムにより昇降板３２を回動し、最上位のシートの高さを給送可能な位置に維持することで、安定的にシートＳを給送することができるようになっている。
【００３３】
側端規制部３３はシートＳの幅方向に対向して設けられると共にシートＳの幅方向に移動自在であり、シートサイズに応じてシートＳの側端部を規制する位置に移動自在となっている。また、側端規制部３３を所定のシートサイズ位置に定めるために、昇降板３２に定型サイズ係止部３２ａと、所定のシートサイズ位置を表示する定型サイズ表示部３２ｂを備えている。
【００３４】
ここで、側端規制部３３は、図９に示すように、シートＳの幅方向の側端を規制する規制板３４、所定のシート側端位置で昇降板３２の定型サイズ係止部３２ａと係合する係合部材３６と、その係合部材３６を昇降操作するレバー３５を備えている。係合部材３６は、規制板３４に対してシートの積載方向及び前記積載方向と交差するシートの面に沿った方向に移動自在に設けられており、トレイ本体３１に積載されたシートの端部の位置に規制板３４を位置決めする。
【００３５】
係合部材３６は、トレイ本体３１に積載されるシートの所定のシート側端位置を指示するためのサイズ指示部３６ａを備えている。このサイズ指示部３６ａは、係合部材３６と一体に設けられ、レバー３５を操作することによって移動する係合部材３６とともに移動する。サイズ指示部３６ａは、係合部材３６をシートサイズに応じた前記係止部３２ａに係止した位置において規制部３３の外部に突出し、係合部材３６を前記係止部３２ａに係止しない位置において規制部３３の内部に格納される。
【００３６】
側端規制部３３の規制板３４は、係合部材３６を前記積載方向に案内しつつ前記シートの面に沿った方向に案内する案内面としてのテーパ（テーパ面）３４ｔを有している。係合部材３６は、規制板３４のテーパ３４ｔに沿うテーパ（テーパ面）３６ｔを有している。係合部材３６のテーパ３６ｔは、規制板３４のテーパ３４ｔに沿って移動する。これにより、係合部材３６は、レバー３５を操作することによってテーパ３４ｔ，３６ｔに沿って前記積載方向に移動しつつ前記シートの面に沿った方向に移動する。そして、この係合部材３６の移動に伴って、サイズ指示部３６ａは、前記規制部３３の外部に突出し、又は前記規制部３３の内部に格納される。
【００３７】
このように、図９（ａ）に示すように、側端規制部３３の係合部材３６が昇降板３２の定型サイズ係止部３２ａに係止しない場合には、係合部材３６は昇降板３２で持上げられ上方向に移動し、側端規制部３３は移動自在になる。また、係合部材３６がテーパ３６ｔに沿って上方向に移動するため、サイズ指示部３６ａは規制板３４の内部に格納される。これにより、側端規制部３３は、所定の定型サイズ位置（シート側端位置）ではないことを示すことができる。
【００３８】
一方、図９（ｂ）に示すように、側端規制部３３の係合部材３６が昇降板３２の定型サイズ係止部３２ａに係合する際には、係合部材３６が下方向に移動し、側端規制部３３を所定の定型サイズ位置（シート側端位置）に位置決めする。また、係合部材３６がテーパ３５ｔに沿って下方向に移動するため、サイズ指示部３６ａは規制板３４の外部に突出する。これにより、側端規制部３３は、定型サイズ表示部３２ｂと一致し、所定の定型サイズ位置（シート側端位置）であることを指し示すことができる。
【００３９】
上述したように、本実施例によれば、側端規制部３３をシートを規制する位置に移動して係合部材３６を定型サイズ係止部３２ａに係止することで定型サイズ指示部３６ａが側端規制部３３の外部に突出し定型サイズ表示部３２ｂと一致する。また、係合部材３６を定型サイズ係止部３２ａに係止しない位置においては定型サイズ指示部３６ａが側端規制部３３に格納される。これにより、側端規制部３３が定型シートサイズ位置にセットされているかをユーザーが容易に確認できる。また、定型シートサイズ位置において、係合部材３６を定型サイズ係止部３２ａに係止することで側端規制部３３は位置決めされるので、ユーザーは確実にシートを規制する位置に規制部を配置することができる。
【００４０】
なお、前述した実施例では、画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であってもよい。また、トナー像を担持して移動する中間転写体を使用した画像形成装置を例示したが、これに限定されるものではなく、シートを担持して移動する記録材担持体を使用した画像形成装置であってもよい。すなわち、記録材担持体を使用し、該記録材担持体に担持された記録材に各色のトナー像を順次重ねて転写する画像形成装置であってもよい。これらの画像形成装置に用いられるシート収納装置に本発明を適用することにより同様の効果を得ることができる。
【００４１】
また、前述した実施例では、記録対象としての記録紙等のシートを収納するシート収納装置を例示したが、本発明はこれに限定されるものではない。例えば、読取対象としての原稿等のシートを収納するシート収納装置に適用しても同様の効果を得ることができる。
【符号の説明】
【００４２】
２    …プロセスカートリッジ
２０  …給送カセット
２１  …カセット本体
２１ａ，３２ａ …定型サイズ係止部
２１ｂ，２２ｂ，３２ｂ …定型サイズ表示部
２１ｃ …フリーサイズ係止部
２２  …中板
２３，３３ …側端規制部
２４  …後端規制部
２５，３４ …規制板
２５ｔ，２７ｔ，３４ｔ，３６ｔ …テーパ
２６，３５ …レバー
２７，３６ …係合部材
２７ａ，３６ａ …サイズ指示部
２８  …フリーサイズ係合部材
３１  …トレイ本体
３２  …昇降板
６０  …手差しトレイ
【図１】
0006333096.tif 000002
【図２】
0006333096.tif 000003
【図３】
0006333096.tif 000004
【図４】
0006333096.tif 000005
【図５】
0006333096.tif 000006
【図６】
0006333096.tif 000007
【図７】
0006333096.tif 000008
【図８】
0006333096.tif 000009
【図９】
0006333096.tif 000010